(57)【特許請求の範囲】
【請求項１】
カソードと、カソードから離間するアノードと、カソードとアノードとの間に加えられる電位と、アノードから離間し且つアノードとの間に第１の排液チャンネルを形成する陰イオン透過膜と、カソードから離間し且つカソードとの間に第２の排液チャンネルを形成する陽イオン透過膜とを備え、前記陰イオン透過膜および前記陽イオン透過膜は、プロダクトチャンネルを形成するように隣接しつつ互いに離間し、前記プロダクトチャンネルは、陰イオン選択性及び陽イオン選択性であるイオン交換材料から成る混床を含み、前記第１および第２の排液チャンネルは、陽イオン選択性材料及び陰イオン選択性材料であるイオン交換材料からなる混床を含み、陰イオン選択性材料は、１または複数の所定の陰イオン種との親和性が低い陰イオン材料からなるグループから選択される、液体を電気的に脱イオン化するシステム。
【請求項２】
陰イオン透過膜および陽イオン透過膜は、イオン交換材料で満たされている請求項１に記載のシステム。
【請求項３】
陰イオン透過膜および陽イオン透過膜は、イオン交換材料で満たされ、陰イオン透過膜は、１または複数の選択された陰イオン種との親和性が比較的低い陰イオン材料を含んでいる請求項１に記載のシステム。
【請求項４】
親和性が比較的低い陰イオン材料は、弱塩基性基を有する陰イオン材料、タイプIIの官能基を有する陰イオン材料、これらの混合物から成るグループから選択される請求項３に記載のシステム。
【請求項５】
親和性が比較的低い陰イオン材料は、弱塩基性基を有する陰イオン材料、タイプIIの官能基を有する陰イオン材料、これらの混合物から成るグループから選択される請求項１に記載のシステム。
【請求項６】
１または複数のプロダクトチャンネルと、１または複数の排液チャンネルと、アノードおよびカソードから成る２つの電極と、１または複数のプロダクトチャンネル内および１または複数の排液チャンネル内に設けられたイオン交換材料から成る混床とを備え、１または複数の排液チャンネル内の混床は、１または複数の選択された陰イオン種との親和性が比較的低い陰イオン交換材料および陽イオン交換材料から成り、１または複数の選択された陰イオン種との親和性が比較的低い陰イオン交換材料は、弱塩基性基を有する陰イオン材料、タイプIIの官能基を有する陰イオン材料、これらの混合物から成るグループから選択される、ＥＤＩモジュール。
【請求項７】
１つの排液チャンネルと、１つのプロダクトチャンネルとを備え、前記排液チャンネルは、除去されるイオンを引き付ける電極に最も近接して配置されている請求項６に記載のモジュール。
【請求項８】
１つの排液チャンネルと、１つのプロダクトチャンネルとを備え、前記排液チャンネルがアノードに最も近接して配置されている請求項６に記載のモジュール。
【請求項９】
１つの排液チャンネルと、１つのプロダクトチャンネルとを備え、前記排液チャンネルがカソードに最も近接して配置されている請求項６に記載のモジュール。
【請求項１０】
プロダクトチャンネル内の混合イオン交換材料から成る混床は、１または複数の選択された陰イオン種との親和性が比較的低い陰イオン交換材料および陽イオン交換材料から成り、１または複数の選択された陰イオン種との親和性が比較的低い陰イオン材料は、弱塩基性基を有する陰イオン材料、タイプIIの官能基を有する陰イオン材料、これらの混合物から成るグループから選択される請求項６に記載のモジュール。
【請求項１１】
２つ以上の排液チャンネルと、２つ以上のプロダクトチャンネルとを備えている請求項６に記載のモジュール。
【請求項１２】
イオン交換材料は、ビーズ、不規則形状の粒子、繊維、ロッド、織物、多孔質モノリスから成るグループから選択される形態を成している請求項６に記載のモジュール。
【請求項１３】
イオン交換材料は、ビーズ、不規則形状の粒子、繊維、ロッド、織物、多孔質モノリスから成るグループから選択される形態を成している請求項１に記載のシステム。
【請求項１４】
イオン交換材料がビーズの形態を成している請求項６に記載のモジュール。
【請求項１５】
イオン交換材料がビーズの形態を成している請求項１に記載のシステム。
【請求項１６】
プロダクトチャンネル内のイオン交換材料から成る混床は、１または複数の選択された陰イオン種との親和性が比較的低い陰イオン交換材料および陽イオン交換材料から成り、１または複数の選択された陰イオン種との親和性が比較的低い陰イオン交換材料は、弱塩基性基を有する陰イオン材料、タイプIIの官能基を有する陰イオン材料、これらの混合物から成るグループから選択される請求項１に記載のシステム。
【発明の詳細な説明】
【０００１】
本発明は、電気脱イオン化（ＥＤＩ）モジュールに関する。特に、本発明は、高速でイオンを除去でき且つスケーリングレベルが低いＥＤＩモジュールに関する。
【０００２】
（発明の背景）
電気脱イオン化（ＥＤＩ）は、電気的に活性な媒体およびアノード−カソード間の電位を使用してイオンの移動に影響を与え、液体からイオン種を除去するプロセスである。一般的なシステムは、処理される液体が流通する少なくとも１つのプロダクトチャンネルを有している。プロダクトチャンネルの一方側の外縁には、陰イオン透過膜があり、この陰イオン透過膜は、この外縁側で、プロダクトチャンネルの外側限界位置を規定している。プロダクトチャンネルの反対側は、陽イオン透過膜によって形成されている。プロダクトチャンネルに対して膜と反対側には、排液チャンネルが形成されている。陰イオン側の排液チャンネルは、陰イオン透過膜と、陰イオン透過膜から外側に離間したアノードとの間に形成されている。同様に、陽イオン側の排液チャンネルは、陽イオン透過膜とカソードとの間に形成されている。
【０００３】
プロダクトチャンネルは、イオン交換樹脂イオン交換材料から成る混床で満たされている。これらのイオン交換材料は、陰イオンスペシフィックまたは陽イオンスペシフィックである。一般に、陰イオン交換材料は、陰イオンの選択において比較的強い。これらのイオン交換材料は、しばしば、タイプIのイオン交換材料と称される。同様に、排液チャンネルは、同様の樹脂から成る混床で満たされている。
【０００４】
浄化される液体は、システムに電位が加えられた状態で、プロダクトチャンネル内に流入される。プロダクトチャンネル内のイオン交換材料により、液体中のイオンは、選択的に、ビーズの表面に付着し、それらが引き付けられる電極（アノードまたはカソード）に向かってビーズからビーズへと移動する。液体中のイオンは、イオン選択膜を通過すると、排液チャンネル中のイオン交換材料へと移動する。また、イオン交換材料からイオンが除去されるとともに、除去されたイオンが運ばれて廃棄される各排液チャンネルを通じて液体が流れる。
【０００５】
実際のところ、結果は、完全に満足できるものではなかった。ある理由により、各タイプのビーズは、所定の電荷を有しており、また、選択されたイオンと一定の親和性を有している。イオンの移動が生じる効率は、システムの電界効率と、所定のイオンに対する樹脂の結合定数とに関係している。
【０００６】
現在のシステムで使用されるタイプIの樹脂は、水酸化物イオン（ＯＨ）の結合定数（約１．０）に比べて、重炭酸（ＨＣＯ３）イオン等の特定のイオンに対して比較的高い結合定数（約２０）を有する強い陰イオン樹脂である。
【０００７】
重炭酸イオン等の特定のイオンに対するこの強い親和性により、タイプIの樹脂は、イオンを簡単には解放せず、その結果、イオンの移動速度を低下させてしまう。時間とともに次第に多くの重炭酸イオンが樹脂に結合する場合であっても、同じ効率が得られるようにするためには、システムに供給される電力を増大しなければならない。これにより、カルシウムおよび／または炭酸ガスのレベルが高い領域において、システムは、１ヶ月ほど電圧増加が必要となり、システム性能の悪化を招くスケーリングに影響され易くなる場合がある。軟水を使用してカルシウムのレベルを下げても良く、また、脱気器を使用して、システムに流入する炭酸ガスの量を減らしても良いが、これだけでは、遅れを避けられない。また、軟水及び／又は脱気器を使用すると、システム及び化学物質の軟化に費用がかかり、また、システムによって形成される液体の排出量が増大する。
【０００８】
ＵＳ５，８６８，９１５は、プロダクトチャンネルおよび／または排液チャンネル内にある少量のタイプIの陰イオン樹脂を、弱塩基またはタイプIIの樹脂等の弱くイオン化されたタイプのものに変更することを提案している（この特許で挙げられた割合は、７％である）。また、ＵＳ５，８６８，９１５は、排液チャンネル内でイオン交換媒体を使用せず、その代わり、カーボン系の導電ビーズを使用することを提案している。
【０００９】
ＵＳ５，８５８，１９１は、ＵＳ５，８６８，９１５に類似しており、タイプIとタイプIIの陰イオン樹脂および陽イオン樹脂とを交互に成し、排液チャンネルにおいて陽イオン樹脂だけを使用し或は樹脂混床ではなく陽イオン樹脂の層を出発点として陰イオン樹脂の層と交互に配する提案を加えている。
【００１０】
現在の全てのシステムは欠点を有している。システムが古くなるにつれて、スケーリングおよび電圧増大の必要性が生じるのが最も一般的である。軟水および／または脱気器を使用すると、必要な化学物質およびハードウエアの両方に関してシステム全体のコストが増大する。また、軟水や脱気器を使用すると、大量の排液がシステムによって形成される。更に、発明者の認識によれば、ＵＳ５，８６８，９１５およびＵＳ５，８５８，１９１は、決して商業的に実施されない。
【００１１】
本発明は、現在のシステムの問題を解消し、スケーリングを生じさせず且つ古くなるにつれて電圧増大の必要性を、一般的に、生じさせないシステムを提供する。システムが電圧の増大を必要とするという点では、必要とされる時間は、今日のシステムで達成される時間よりも遥かに長い。
【００１２】
（発明の概要）
電気脱イオン化モジュールは、プロダクトチャンネルを有して形成される。この場合、プロダクトチャンネルの外側は、各側がイオン透過膜によって境界付けられる。また、前記膜は、プロダクトチャンネルを取り囲むようにプロダクトチャンネルの外側に形成される第１および第２の排液チャンネルの内側の境界を形成する。アノードは、プロダクトチャンネルから最も離れた第１の排液チャンネルの一方側に配置され、（第１の）排液チャンネルは、アノードと第１のイオン透過膜との間に形成される。第２の排液チャンネルは、第２の膜とカソードとの間に形成され、カソードは、プロダクトチャンネルおよび排液チャンネルを挟んでアノードの反対側に位置している。プロダクトチャンネルは、陰イオン選択性および陽イオン選択性の両方のタイプから成るイオン交換材料の混床で満たされている。排液チャンネルは、混合されたイオン交換材料で満たされている。この場合、使用される陰イオン交換材料は、捕らえられる１または複数の所望の種との親和性が低い。また、望まれる場合には、若干量のタイプIのイオン交換材料と混合されても良い。膜は、イオン選択性であり、第１の膜は陰イオンを透過し、第２の膜は陽イオンを透過する。膜は、膜を横切るイオンの移動を速めるイオン交換材料を含んでいることが好ましい。陰イオン透過膜は、保持される１または複数の選択された種との親和性が低い陰イオン交換材料を含んでいることが更に好ましい。
【００１３】
本発明の目的は、カソードと、カソードから離間するアノードと、カソードとアノードとの間に加えられる電位と、アノードから離間し且つアノードとの間に第１の排液チャンネルを形成する陰イオン透過膜と、カソードから離間し且つカソードとの間に第２の排液チャンネルを形成する陽イオン透過膜とを備え、前記陰イオン透過膜および前記陽イオン透過膜は、プロダクトチャンネルを形成するように隣接しつつ互いに離間し、前記プロダクトチャンネルは、陰イオン選択性および陽イオン選択性である混合されたイオン交換材料を含み、前記第１および第２の排液チャンネルは、陽イオン選択性交換材料および陰イオン選択性交換材料である混合されたイオン交換材料を含み、陰イオン選択性交換材料は、１または複数の選択された陰イオン種との親和性が比較的低い陰イオン交換材料からなるグループから選択され、一般には、弱塩基性基を有する陰イオン交換材料、タイプIIの官能基を有する陰イオン交換材料、これらの混合物から成るグループから選択される、液体を電気的に脱イオン化するシステムを提供することである。
【００１４】
本発明の更なる目的は、１または複数のプロダクトチャンネルと、１または複数の排液チャンネルと、アノードと、カソードと、混合されたイオン交換材料とを備え、１または複数の排液チャンネル内の混合されたイオン交換材料は、１または複数の選択性の種との親和性が比較的低い陰イオン交換材料および陽イオン交換材料から成り、１または複数の所定の陰イオン種との親和性が比較的低い陰イオン交換材料は、弱塩基性基を有する陰イオン交換材料、タイプIIの官能基を有する陰イオン交換材料、これらの混合物から成るグループから選択される、ＥＤＩモジュールを提供することである。
【００１５】
本発明の他の目的は、カソードと、カソードから離間するアノードと、カソードとアノードとの間に加えられる電位と、アノードから離間し且つアノードとの間に第１の排液チャンネルを形成する陰イオン透過膜と、カソードから離間し且つカソードとの間に第２の排液チャンネルを形成する陽イオン透過膜とを備え、前記陰イオン透過膜および前記陽イオン透過膜は、プロダクトチャンネルを形成するように隣接しつつ互いに離間し、前記プロダクトチャンネルは、陰イオン選択性および陽イオン選択性である混合されたイオン交換材料を含み、前記第１および第２の排液チャンネルは、陽イオン選択性交換材料および陰イオン選択性交換材料である混合されたイオン交換材料を含み、陰イオン選択性交換材料は、１または複数の選択された種との親和性が比較的低い陰イオン交換材料からなるグループから選択され、前記樹脂は、弱塩基性基を有する樹脂、タイプIIの官能基を有する材料、これらの混合物から成るグループから選択され、陰イオン膜は、１または複数の選択性の種との親和性が比較的低い陰イオン交換材料を含んでいる、液体を電気的に脱イオン化するシステムを提供することである。
【００１６】
（発明の詳細な説明）
本発明の一般的なシステムは、図１に示されており、様々なチャンネルで樹脂を選択できる以外、従来技術のシステムのそれと非常に類似している。処理される液体が流通可能なプロダクトチャンネル１は、その第１の外縁３に、陰イオン透過膜５を有している。この陰イオン透過膜５は、第１の外縁３側で、プロダクトチャンネルの外側限界位置を規定している。プロダクトチャンネルの反対側の第２の外縁７は、陽イオン透過膜９によって形成されている。２つの膜５、９は、プロダクトチャンネル１を形成するように互いに離間している。その空間の幅は、液体の流れが良好で且つイオンの移動が良好でありさえすれば問題ではなく、他のシステムで今日使用される、一般的には直径３から６ビーズ幅（すなわち、今日使用される平均的なイオン交換材料の直径が約６００ミクロンであるため、１８００から３０００ミクロンの幅）と同じであっても良い。陰イオン透過膜５の向かい側には、第１の排液チャンネル１１が形成されている。この第１の排液チャンネル１１は、陰イオン透過膜５と、陰イオン透過膜５から外側に離間したアノード１２との間に形成されている。同様に、陽イオン透過膜９とカソード１５との間には、陽イオン側排液チャンネル１３が形成されている。
【００１７】
プロダクトチャンネル１は、イオン交換材料から成る混床１７で満たされている。この実施形態において、それらはビーズの形態を成している。これらのビーズは、陰イオンスペシフィックまたは陽イオンスペシフィックである。陰イオンビーズ１９は、タイプIのビーズであることが好ましい。しかしながら、少量のタイプIIのビーズをタイプIのビーズと共に使用しても良い。また、望まれる場合には、タイプIIのビーズだけを使用しても良い。他のビーズは、陽イオンビーズ２１である。
【００１８】
ビーズは、使用されるイオン交換材料の最も一般的な形態であるが、本発明は、陽イオンまたは陰イオンにおいてビーズの形態を成すイオン交換材料の使用に限定されない。また、イオン交換材料は、不規則な形状の粒子、繊維、ロッド、織物、または、多孔質モノリスの形態を成していても良い。
【００１９】
浄化される液体は、システムに電位が加えられた状態で、プロダクトチャンネル１内に流入される。プロダクトチャンネル１内のビーズ１９、２１により、液体中のイオンは、選択的に、ビーズの表面に付着しながら、それらが引き付けられる電極（アノードまたはカソード）に向かってビーズからビーズへと移動する。液体中のイオンは、その極性に応じたイオン選択膜すなわち陰イオン透過膜または陽イオン透過膜（５、７）を通過すると、排液チャンネル１１、１３中の陰イオンビーズ２３および陽イオンビーズ２５から成る混床の形態を成すビーズへと移動する。また、各排液チャンネル１１、１３を通じて液体が流れ、これによって、ビーズからイオンが除去されるとともに、除去されたイオンが運ばれて廃棄される。
【００２０】
本システムで使用される陰イオン交換材料は、保持されることが望まれる１または複数の種との親和性が低い陰イオン交換材料のみから成り、あるいは、望まれる場合には、タイプIのイオン交換材料との組み合わせ材料から成る。「低親和性」陰イオン交換材料とタイプIのイオン交換材料との組み合わせにおいて、「低親和性」陰イオン交換材料に対するタイプIのイオン交換材料の比率は、約５０：５０から約１：９９であり、約４０：６０から約１０：９０であることが好ましく、約２５：７５から約２０：８０であることが更に好ましい。
【００２１】
「低親和性陰イオン交換材料」とは、保持されてプロダクトチャンネルから除去される陰イオンスペシフィック種との親和性、一般的には炭酸イオンや重炭酸イオンとの親和性が比較的低い陰イオン材料を含んでいることを意味している。他のイオンを選択の標的としても良く、その場合には、そのような標的イオンとの親和性が低い陰イオン交換材料を選択しなければならない。「低親和性」という用語は、陰イオンスペシフィック種との親和性がタイプIのイオン交換材料のそれよりも低い任意の陰イオン選択イオン交換材料であることを意味している。一般に、その親和性は、５よりも低く、約１．０１から約５であることが好ましく、約１．０１から約３であることが更に好ましい。
【００２２】
殆どの陰イオン、特に炭酸イオンや重炭酸イオンとの親和性が比較的低い低親和性陰イオン交換材料は、弱塩基性基を有する陰イオン交換材料、タイプIIの官能基を有する陰イオン交換材料、及びこれらの混合物を含んでいるが、これらに限定されない。これらのイオン交換材料は、ペンシルベニア州のフィラデルフィア（Ｐｈｉｌａｄｅｌｐｈｉａ，Ｐｅｎｎｓｙｌｖａｎｉａ）にあるＲｏｈｍ  ＆  Ｈａａｓからアンバーライト４１０（Ａｍｂｅｒｌｉｔｅ  ４１０）の名で市販されている。
【００２３】
タイプIのイオン交換材料は、ペンシルベニア州のフィラデルフィアにあるＲｏｈｍ  ＆  Ｈａａｓからアンバーライト４００の名で市販されている。
【００２４】
陽イオン交換材料は、液体からイオンを引き付けて排液チャンネルに移動させるためにＥＤＩモジュールで一般に使用される任意のイオン交換材料であっても良い。好ましい陽イオン交換材料は、ペンシルベニア州のフィラデルフィアにあるＲｏｈｍ  ＆  Ｈａａｓから市販されているアンバーライト２００シリーズのイオン交換材料である。
【００２５】
タイプIのイオン交換材料、低親和性陰イオン交換材料、陽イオン交換材料を製造する他の製造メーカーとしては、デラウェア州のウィルミントン（Ｗｉｌｍｉｎｇｔｏｎ，Ｄｅｌａｗａｒｅ）にあるＥ．Ｉ．ＤｕＰｏｎｔ  ｄｅ  Ｎｅｍｏｕｒｓや、ミシガン州のミッドランド（Ｍｉｄｌａｎｄ，Ｍｉｃｈｉｇａｎ）にあるＤｏｗ  Ｃｈｅｍｉｃａｌｓ、また、様々な日本の会社がある。
【００２６】
これらの材料のイオン交換能力は、使用される材料の化学的な構造に固有のものであっても良い。また、これらの材料は、グラフト化され、クロスリンクされ、あるいは、支持材料の表面に付着されても良く、また、前述したように、ビーズ、他の粒子形状、織物、ロッド、繊維、モノリス等の形態を成していても良い。
【００２７】
モジュール中で使用される膜は、ＥＤＩモジュールで一般に使用される任意の陰イオン透過膜または陽イオン透過膜であっても良い。そのような膜は、マサチューセッツ州のベッドフォード（Ｂｅｄｆｏｒｄ，Ｍａｓｓａｃｈｕｓｅｔｔｓ）にあるＭｉｌｌｉｐｏｒｅ社からＣＨＥＭＰＵＲＥの名で市販されている。また、マサチューセッツ州のウォータータウン（Ｗａｔｅｒｔｏｗｎ，Ｍａｓｓａｃｈｕｓｅｔｔｓ）にあるＩｏｎｉｃｓ株式会社およびマサチューセッツ州のローエル（Ｌｏｗｅｌｌ，Ｍａｓｓａｃｈｕｓｅｔｔｓ）にあるＵ．Ｓ  Ｆｉｌｔｅｒ社からも同様の膜が市販されている。
【００２８】
しかしながら、プロダクトチャンネルから排液チャンネルへのイオンの迅速な移動に寄与するべく、陰イオン膜は、低親和性陰イオン交換材料を含んでいることが好ましい。低親和性イオン交換材料を含む陰イオン膜を使用すると、プロダクトチャンネルから膜を横切って排液チャンネルへと移動する陰イオンの移動速度が速くなるとともに、未充填膜すなわちそれら選択された電位に向かって膜を通過しようとするイオンに対して高い親和性を有するイオン交換材料を使用する膜よりも更に完全な移動を実現できる。特に、前述した低親和性陰イオン交換材料を組み込むと、膜を横切る陰イオンの移動に対する障害を減らす際に特に有益であることが分かった。低親和性陰イオン交換材料は、フィルタとしてそれを製造する際に膜中に簡単に組み込むことができる。望まれる場合には、膜中により多くの材料を組み込み、膜厚内に材料を含ませるように、研削や切削等によってサイズを減少させても良い。特に鋳造法または溶融押出し成形法によって形成される膜の製造においてイオン交換材料を含有させる。これについては、米国特許第５，５３１，８９９号および米国特許第４，２０３，８４８号を参照のこと。これらの特許の教示内容は、例えばそのような膜の製造方法に関して、これらを参照することにより本願に組み込まれる。
【００２９】
モジュールの製造方法は、良く知られており、様々な構成要素を一括して組み立て、これらを液中において２つの端板間できつく挟持することによって成されても良い。この場合、前記端板は、ステンレス鋼等の液体を透過させない材料によって形成される。また、モジュールの製造方法は、その後に熱や接着剤或はそのような他の手段によってシールされて一体の液密アッセンブリになるプラスチック部品を使用することによって成されても良い。これについては、米国特許第４，６３２，７４５号、第４，７４７，９２９号、第４，７５３，６８１号、第４，９２５，５４１号、第４，９３１，１６０号、第４，９５６，０７１号、第５，１１６，５０９号、第５，１５４，８０９号、および、ＲＥ  ３５，７４１号、５，２１１，８２３号、５，２５９，９３６号、５，６８１，４３８号、５，５９３，５６３号を参照されたい。
【００３０】
モジュールの他の構成を使用しても良い。例えば、対応する排液チャンネルを有する複数のプロダクトチャンネルを使用しいても良い。また、１つの排液チャンネルを有する１つのプロダクトチャンネルを使用したハーフモジュールを形成しても良い。この場合、１つの排液チャンネルは、除去されるイオンを引き付ける電極に最も近接して配置される。例えば、ＥＤＩシステムの第１のステージから陰イオンを除去するハーフモジュールを単に形成しても良い。その後、１または複数の一連のマルチチャンネルモジュールを形成して、１つのＥＤＩシステムを作成しても良い。
【００３１】
（例１）
図１に係る２つのＥＤＩモジュールを構成した。両方のモジュールは、共に、タイプIの陰イオン樹脂（アンバーライト４００）および陽イオン樹脂（アンバーライト２００）から成る混床を含んでいた。第１のモジュールは、各廃チャンネル内に同じ混床樹脂を含んでいた。第２のモジュールは、陽イオン樹脂（アンバーライト４００）および低親和性陰イオン樹脂（アンバーライト４１０）から成る混床を使用した。
【００３２】
両方のモジュールは、４０ｐｐｍを超える炭酸ガスを含む同じ水源を使用して、３日間、同時に作動された。形成される水の抵抗を４時間毎に（メガオームで）測定し、それを図２にプロットした。図２に示されるように、タイプIIの樹脂を有する本発明のモジュール２６は、タイプIの樹脂を有する従来技術のモジュール２７よりも一貫して水の純度が高かった。
【００３３】
（例２）
例１で使用した各タイプの２つのモジュールをその後に１ヶ月間連続して作動させ、その後、１時間ＯＦＦとし２時間ＯＮするといった形態で、更に７ヶ月間、断続的に作動させた。最初に、井戸水（フランスのサンカンタン（Ｓｔ．Ｑｕｅｎｔｉｎ，Ｆｒａｎｃｅ））を使用して、４ヶ月間、ＲＯ（逆浸透）給水で水を供給した後、浄水（フランスのサンカンタン）を使用して、１ヶ月間、ＲＯ給水で水を供給した。その後、平均含有量が１から４ｐｐｍのカルシウムと２５から３５ｐｐｍの炭酸ガスとを含む井戸水（フランスのサンカンタン）を使用したＲＯ給水に戻した。１００ミリアンペアの電流を各モジュールに供給した。
【００３４】
図３は、モジュールの経時的なインピーダンスを示している。図示のように、従来秘術の２つのモジュール３０、３１は、本発明の２つのモジュール３２、３３よりもかなり高いインピーダンスを示している。
【００３５】
図４は、４つのモジュールによって形成された水の抵抗をテストでの経時的に示している。この場合も、本発明のモジュールは、従来技術のモジュールよりも一貫してかなり高い水純度を示した。
【図面の簡単な説明】
【図１】  本発明のＥＤＩモジュールの第１の実施形態の断面図を示している。
【図２】  数日にわたって従来技術の装置と比較した本発明の装置で得られる水の純度に関するグラフデータを示している。
【図３】  従来技術と比較した本発明の装置のインピーダンスに関するグラフデータを示している。
【図４】  延長時間にわたって従来技術の装置と比較した本発明の装置で得られる水の純度に関するグラフデータを示している。
【図１】
0003895180.tif 000002
【図２】
0003895180.tif 000003
【図３】
0003895180.tif 000004
【図４】
0003895180.tif 000005